(57)【要約】【課題】            従来、一般的に実施されている鋳物の湯口切り作業は常に危険性を伴ない、加えて作業に長時間を要してしまうという点である。【解決手段】        棒状材の切断装置はケーシング内に駆動モータと、その駆動モータによって作動する油圧系と、その油圧系の先端に取り付けられた可動刃と、その可動刃を受ける固定刃とを有し、その固定刃と可動刃の間に配置した棒状材を切断する棒状材の切断器具を有し、その切断器具をバランサ、クレーン等の三次元位置を保持できる装置に着脱自在に装着して、前記切断器具を任意の三次元位置に配設することとする。【選択図】          図１
2010069523.tif 000002
【特許請求の範囲】
【請求項１】
ケーシング内に駆動モータと、その駆動モータによって作動する油圧系と、その油圧系の先端に取り付けられた可動刃と、その可動刃を受ける固定刃とを有し、その固定刃と可動刃の間に配置した棒状材を切断する棒状材の切断器具を有し、その切断器具をバランサ、クレーン等の三次元位置を保持できる装置に着脱自在に装着して、前記切断器具を任意の三次元位置に配設することを特徴とする棒状材の切断装置。
【請求項２】
前記した切断器具の三次元の位置を保持できる装置への装着は、切断器具のケーシング上面に天板を取り付け、その天板を介してなされることを特徴とする請求項１に記載の棒状材の切断装置。
【請求項３】
前記した切断器具には作業時に握持するグリップを設けてあることを特徴とする請求項１または請求項２に記載の棒状材の切断装置。
【請求項４】
前記した切断器具のケーシング側面には一端を鈍角に屈曲した側板を偏位してピン止めし、切断器具を傾動可能としてあることを特徴とする請求項１、請求項２または請求項３に記載の棒状材の切断装置。
【請求項５】
前記した天板は一対設けた前記側板の頂部間に固定して設けてあることを特徴とする請求項１、請求項２、請求項３または請求項４に記載の棒状材の切断装置。
【発明の詳細な説明】
【技術分野】
【０００１】
本発明は棒状材の切断装置に関し、特に鋳物の湯口を切断する湯口切り（ｇａｔｅ  ｃｕｔｔｉｎｇ）に用いて有効な棒状材の切断装置に関する。
【背景技術】
【０００２】
一般的に、湯口切りの作業は回転カッターを備えた工具を手で持って行なわれている。この作業は時として、工具の重量で位置振れを生じたり、湯口の重量で回転刃が挟圧されてしまったりする不測の事態が生じ易く、作業者の身体を傷付けたり、あるいは鋳物の表面を傷付けてしまったりする事があるもので、その作業には熟練性が要求されることとなる。
【０００３】
また、上記作業では切り粉と共に火花が周囲に飛散し、安全性に問題があり、加えて、非常に作業時間を要するものとなっていた。
【特許文献１】出願人は本願発明に関して、先行する技術文献を調査したが、格別に本願発明と関連し、類似すると思われる文献は発見できなかった。
【発明の開示】
【発明が解決しようとする課題】
【０００４】
本発明が解決しようとする問題点は、従来、一般的に実施されている鋳物の湯口切り作業は常に危険性を伴ない、加えて作業に長時間を要してしまうという点である。
【課題を解決するための手段】
【０００５】
この問題点を解決するために、本発明に係る棒状材の切断装置はケーシング内に駆動モータと、その駆動モータによって作動する油圧系と、その油圧系の先端に取り付けられた可動刃と、その可動刃を受ける固定刃とを有し、その固定刃と可動刃の間に配置した棒状材を切断する棒状材の切断器具を有し、その切断器具をバランサ、クレーン等の三次元位置を保持できる装置に着脱自在に装着して、前記切断器具を任意の三次元位置に配設することを特徴としている。
【０００６】
また、本発明に係る棒状材の切断装置は前記した切断器具の三次元の位置を保持できる装置への装着は、切断器具のケーシング上面に天板を取り付け、その天板を介してなされることを特徴とし、前記した切断器具には作業時に握持するグリップを設けてあることを特徴とし、前記した切断器具のケーシング側面には一端を鈍角に屈曲した側板を偏位してピン止めし、切断器具を傾動可能としてあることを特徴とし、前記した天板は一対設けた前記側板の頂部間に固定して設けてあることを特徴としている。
【発明の効果】
【０００７】
本発明に係る棒状材の切断装置は上記のように構成されている。そのため、湯口切りに使用する切断器具を三次元の任意な有効位置で保持させ、作業を実行する事ができる。また、この切断器具は側板との枢支構造で上下方向への傾動が可能となり、装着されるバランサ等の三次元位置を保持できる装置の作用で水平方向への回動も自在となり、非常に良好に作業をすることができる。
【０００８】
また、この作業自体について、切断器具自体の性能で火花が飛散することも、位置ずれ等の不測の事態が発生することなく、安全性が確保され、その作業時間も大幅に短縮され、作業の能率が大きく向上するものとなる。
【発明を実施するための最良の形態】
【０００９】
図面として示し、実施例で説明したように構成することで実現した。
【実施例１】
【００１０】
次に、本発明の好ましい実施の一例を図面を参照して説明する。図１は本発明に係る棒状材の切断装置を示す正面図、図２は同じく底面図、図３は同じく左側面図、図４は同じく右側面図、図５は同じく側板を示す正面図、図６は同じく側面図、図７は同じく天板を示す平面図、図８は同じく正面図、図９は同じく側面図である。
【００１１】
これらの図にあって１は切断器具のケーシングを示している。このケーシング１内には駆動モータ及びその駆動モータによって稼動される油圧系が内蔵されている。ここで駆動モータの電源は格別に図示しない電源コードによってＡＣ電源で供給されることとなり、後述するグリップの一部に入力を行なうパワースイッチが付設される。尚、この電源はＡＣ電源に限らず必要に応じてバッテリーを付加し、代替することも可能である。
【００１２】
前記したケーシング１の前方側には下方に向けて開放された略Ｌ字状の作業部２が形成されており、その作業部２の上壁３の一部に丸棒状として形成される湯口Ａが宛がわれるＵ字状をした切り欠き部４が形成されている。この切り欠き部４は通常上下方向に形成される湯口Ａの方向性にあわせ、作業、操作を行ない易くするため横方向に開放部分を形成する構造がとられている。
【００１３】
ケーシング１内の油圧系には前記作業部２内に先端を突出するシャフト５が取り付けられ、このシャフト５の先端上面側には可動刃６が固着されている。一方、前記した上壁３の切り欠き部４の内側で作業部２の先端側には固定刃７が固着されているもので、切り欠き部４に宛がわれた湯口Ａに対しシャフト５が前進し、可動刃６と固定刃７とによって、この湯口Ａを切断する。この切断内容は剪断となる。
【００１４】
また、シャフト５に取り付けられた可動刃６はその位置を修正する必要性が生じるので、油圧系はケーシング１内で回動することとなり、この回動、回転を支持するため軸受８が設けられている。この軸受８は内輪と外輪間の軌道に複数のボール９、９‥を介在させた通常のボールベアリングとなっており、切り粉への対応も考慮しているが、これはこの軸受８の構造にかかわらず、コロ等を用いるものとしてもよい。
【００１５】
一方、ケーシング１の後端には一対のグリップ１０、１０が設けられている。このグリップ１０、１０はその先端部分が相互に離れるようにＬ字状に形成されているもので、各々のグリップ１０、１０をそれぞれ左右の手で握持するものとされている。なお、このグリップ１０、１０の形状はこれにこだわるものではなく、片手持ち用のものとすることも勿論可能である。
【００１６】
この一対のグリップ１０、１０は各々半リングバンド状とした取り付け部材１１、１１‥の外表面に溶接されているもので、この取り付け部材１１、１１‥は各端部に形成されたフランジ１１ａ、１１ａをビス等の締結要素で連結して、ケーシング１の外表面に固定される。
【００１７】
また、ケーシング１の略中央部位の左右には一対の側板１２、１２が備えられている。この側板１２は下端部分が略４５度屈曲されているもので、その下端部分の先端寄り、即ち、側板１２の軸方向と偏位された位置に穿設されたピン孔１３に枢動ピン１６を介して装着されているもので、ケーシング１、強いては切断器具自体がグリップ１０、１０や作業部２も含めて４５度、上下方向に傾動（枢動）可能なものとしている。
【００１８】
さらに、この側板１２の上方で側面（板厚）部分には後述する補強プレートが止着されるためのネジ穴１４、１４が形成され、上方で正面部分にはやはり後述する天板と連絡するためのネジ穴１５、１５‥が形成されている。
【００１９】
また、図中１７は前記した側板１２、１２の上端間に挟持される天板である。即ち、この天板１７は側板１２、１２との組み合わせで門型を構成することとなる。天板１７の側面には前記した側板１２のネジ孔１５、１５‥と連通するネジ孔１８、１８‥が形成され、ここに通されるネジによって側板１２との固着一体化がなされる。
【００２０】
さらに、天板１７の前面には補強プレート２０を止着するネジ穴１９、１９が左右端部寄りに形成されている。補強プレート２０は直角部分を有する五角形のものとなっており、この天板１７の前面左右部分と側板１２の上部側面とを一体的に連結してガタ付きを防止し、衝撃にも耐える構造としてある。
【００２１】
天板１７の平面的な中心部分から等位置に四つのボルト孔２１、２１‥が等ピッチで形成されており、このボルト孔２１、２１‥を介してボルトにより例えばバランサに本装置を取り付けることとなる。
【００２２】
この装着によって、切断装置は三次元の任意の位置に安定保持されることとなり、ピン１６による枢動やバランサ自体の作用による水平方向の回転も自在となり、湯口Ａに対して好適の位置、角度で切断装置を使用する事ができることとなる。そのため、安全性が確保できるとともに、作業時間の大幅な短縮を得る事ができる。
【産業上の利用可能性】
【００２３】
本願発明の実施の一例は上記のように構成されている。この実施例では特に工場内にあって湯口切りを行なうことを想定しているが、この切断装置は例えばコンクリートビルや塀等の解体作業で露呈される鉄筋の切断処理等の土木作業にも応用することもでき、その適用範囲は広域に亘るものとなる。
【図面の簡単な説明】
【００２４】
【図１】本発明に係る棒状材の切断装置を示す正面図である。
【図２】底面図である。
【図３】左側面図である。
【図４】右側面図である。
【図５】側板を示す正面図である。
【図６】側面図である。
【図７】天板を示す平面図である。
【図８】正面図である。
【図９】側面図である。
【符号の説明】
【００２５】
１    ケーシング
２    作業部
３    上壁
４    切り欠き部
５    シャフト
６    可動刃
７    固定刃
８    軸受
９    ボール
１０  グリップ
１１  取り付け部材
１１ａ  フランジ
１２  側板
１３  ピン穴
１４  ネジ穴
１５  ネジ孔
１６  ピン
１７  天板
１８  ネジ孔
１９  ネジ穴
２０  補強プレート
２１  ボルト孔
Ａ    湯口
【図１】
2010069523.tif 000003
【図２】
2010069523.tif 000004
【図３】
2010069523.tif 000005
【図４】
2010069523.tif 000006
【図５】
2010069523.tif 000007
【図６】
2010069523.tif 000008
【図７】
2010069523.tif 000009
【図８】
2010069523.tif 000010
【図９】
2010069523.tif 000011